(57)【特許請求の範囲】
【請求項１】
放送局識別データ、放送チャンネル番号および複数の文字コードを含む番組情報を受信し、該受信番組情報から前記文字コードに対応する文字を生成して番組表を表示するように構成された受信装置であって、予め受信装置側で受信チャンネル番号と放送局識別データと関連付ける手段と、前記番組情報から抽出した前記放送局識別データと一致する受信チャンネル番号を番組表に表示する手段を具備した受信装置。
【請求項２】
放送局識別データ、放送チャンネル番号および複数の文字コードを含む番組情報を受信し、該受信番組情報から前記文字コードに対応する文字を生成して番組表を表示するように構成された受信装置であって、予め受信装置側で受信チャンネル番号と放送局識別データと関連付ける手段と、前記受信チャンネル番号に対応させ予め受信装置側でチャンネル表示番号を設定するチャンネル表示番号設定手段と、前記番組情報から抽出した前記放送局識別データと一致する受信チャンネル番号に対応するチャンネル表示番号を番組表に表示する手段を具備した受信装置。
【発明の詳細な説明】
【０００１】
【発明の属する技術分野】
本発明は、例えばテレビジョン放送信号に重畳されて伝送された番組情報を受信して番組表を表示することが可能な受信装置に係り、特に、番組表に表示されるチャンネル表示と実際に受信するチャンネルの整合をとるための改良が施された受信装置に関する。
【０００２】
【従来の技術】
近年、通信衛星等を用いたデジタル放送などにおいて、番組の映像情報と共に、テレビジョン受信機等の受信装置の画面上に番組表等を表示するための番組情報が送られてくるようになってきた。この番組情報は、各番組のタイトル、詳細情報、放送時間、チャンネル、番組カテゴリー（映画、スポーツ、ドラマ等）の情報を含んでいる。
【０００３】
一方、このような番組情報が重畳されたテレビジョン放送を受信するテレビジョン受信機等の受信装置は、映像情報と共に受信した番組情報に基づいて、複数の番組の放送状況や放送予定の一覧を表す番組表を作成して画面上に表示することにより、使用者に対して、どのチャンネルで、何時からどのような内容のものが放送されるのかについての番組ガイド情報を提供するように構成されている。この番組表は、例えば、時間軸と放送局の軸による表形式や、番組カテゴリー別のリスト形式で画面上に表示される。
【０００４】
【発明が解決しようとする課題】
受信装置の画面上で番組表を表示する場合、番組表に表示される放送局名やチャンネル番号は、テレビジョン受信機などの受信装置のチャンネル選局のためのチャンネル番号またはチャンネル選局時に画面に表示するチャンネル表示番号と合っていないと、番組表との対応がとれないためにユーザーに混乱を与える。
【０００５】
本発明は、上記の問題に鑑みて為されたものであって、その第１の目的は、番組表に表示される放送局のチャンネル番号を受信装置のチャンネルを選局するためのチャンネル番号または選局したときの画面に表示するチャンネル表示番号と合わせることができる受信装置を提供することにある。
【０００６】
また、本発明の第２の目的は、番組表に表示されたチャンネルまたは放送局名を選択すると、そのチャンネルを受信することができる受信装置を提供することにある。
【０００７】
【課題を解決するための手段】
上記第１の目的を達成するための、本発明に係る受信装置は、放送局識別データ、放送チャンネル番号、放送局名および複数の文字コードを含む番組情報を受信し、該受信番組情報から前記文字コードに対応する文字を生成して放送局番組表を表示するように構成された受信装置であって、前記番組情報から前記放送局識別データを抽出し、あらかじめ受信装置側で設定した放送局識別データと関連付けする手段と関連付けされた受信装置側の番号を番組表に表示する手段と、特定の文字コードに関連する文字コードを抽出し、該文字コードに対応する文字を前記番組表の所定領域に表示する手段から構成されることを特徴とするものである。
【０００８】
上記の番組情報は、テレビジョン放送に重畳されて伝送されるものであってもよく、また、通信回線等のネットワークを介して伝送されるものであってもよい。
【０００９】
また、上記第２の目的を達成するための本発明に係る受信装置は、受信した番組情報に基づいて番組表を表示可能な受信装置であって、該番組表からチャンネルまたは放送局名を含む番組が選択されたときに、あらかじめ受信装置側で設定した放送局識別データと一致したチャンネルを受信チャンネルとして選局することができることを特徴とするものである。
【００１０】
【発明の実施の形態】
以下、本発明の実施の形態について図面を参照しながら具体的に説明する。図１は本発明の受信装置の一実施の形態を示すブロック図であり、テレビジョン放送信号に重畳されて伝送された番組情報を受信して番組表を表示することが可能なテレビジョンのシステム構成を示している。１はアンテナ、２、３はチューナ、４、５はＩＦ処理回路、６、７は外部入力端子、８は信号切換回路、９は映像信号処理回路、１０は同期信号処理回路、１１は映像信号処理回路９からの映像信号に画面表示処理１９および番組情報処理部２１からの映像信号を合成するための画像合成回路、１２は映像出力回路、１３は偏向回路、１４はＣＲＴ（ブラウン管）、１５、１６は選局処理回路、１７は制御入力部、１８は制御処理部、１９は画面表示処理部、２０はメモリ、２１は番組情報処理部である。
【００１１】
同図において、メモリ２０には、各種の制御情報が記憶されており、マイコンなどからなる制御処理回路１８は、このメモリ２０の制御情報を用いて、操作パネルやリモコンなどの入力操作部１７からの指令情報に応じて各部の制御を行う。
【００１２】
アンテナ１の受信信号はチューナ２、３に供給される。前記チューナ２、３は、制御処理部１８で制御される選局処理回路１５、１６の選局信号に応じたチャンネルのテレビジョン信号が選局され、それぞれＩＦ処理段４、５で増幅、検波などの処理がなされて映像信号に復調された後、信号切換回路８または番組情報処理部２１にそれぞれ供給される。ここで、チューナ３は、番組情報を受信するためのチューナであり、通常視聴するチューナ２とは独立して動作する。図示はしていないが、チューナ３は、番組情報受信時以外は、２画面などのマルチ画面のサブ画面用チューナとしても使用できる。
【００１３】
信号切換回路８は制御処理部１８によって制御され、ＩＦ処理回路４からの映像信号または外部入力端子６、７のいずれか一つを映像信号として選択出力することができる。
【００１４】
信号切換回路８から出力される映像信号は、映像信号処理回路９で処理された後、画面合成回路１１を通り、映像出力回路１２で増幅されてＣＲＴ１４に供給される。また、信号切換回路８から出力される映像信号は同期回路１０に供給され、水平、垂直同期信号が分離処理されて偏向回路１３に供給され、ＣＲＴ１４の偏向波が形成される。
【００１５】
また、図２は、番組情報処理部２１の実施例を示す。２２は信号分離部、２３はデータ抽出部、２４は時計装置、２５はデータ記憶部、２６は表示データ作成部、２７はメモリである。
【００１６】
図１および図２において、番組情報処理部２１には、アンテナで受信された地上波放送や、この例では図示はしていないがＣＳ、ＢＳなどの衛星放送を介して伝送された信号が入力される。この伝送信号は、例えば、番組の映像を構成する映像信号の垂直帰線期間に、番組表を作成するためのデータである番組情報をデジタル信号の形態で重畳したものである。この番組情報は、放送局識別データ、放送チャンネル番号、放送局名などのチャンネル情報、番組毎の放送日時、番組タイトル、番組情報、番組カテゴリーなどを含んでいる。また、番組のタイトル等を示す文字の情報は、例えばパーソナルコンピュータ等で使用されているＪＩＳ（日本工業規格）で定められた２バイトの文字コードで表される。例えば、英字の「Ａ」を表す文字コードは「２３４１」で、ひらがなの「な」を表す文字コードは「２４４Ａ」である。また、番組カテゴリーの情報も、番組毎に「映画」、「ニュース」、「ドラマ」等の種別を表す識別コードとして放送される番組毎に付加されており、チャンネル情報等もこれと同様である。
【００１７】
番組情報処理部２１に入力された信号は、信号分離部２２に供給され、信号分離部２２は入力された信号から各種番組情報を含むデータ情報を分離し、データ情報はデータ抽出部２３へ出力される。データ抽出部２３は、信号分離部２２から出力されたデータ情報から番組情報、チャンネル情報を抽出、デコードして、データ記憶部２５に出力する。データ記憶部２５は、入力された番組情報を蓄積し、番組表の画像データを作成する際に表示データ作成部２６に出力する。表示データ作成部２６は、データ記憶部２５から出力された番組ガイド情報に基づいて番組表の画像データを作成して出力する。このときに、表示データ作成部は、メモリー２７に記憶されている文字コードの辞書を参照して、番組情報の含まれる文字コードを、それに対応する文字の表示データに変換する。そして表示データ作成部２６から出力された番組表の画像データは画像合成部１１に入力される。
【００１８】
データ記憶部２５は、新聞や雑誌に掲載されているような一方の軸を時間、他方の軸をチャンネルとしてチャンネル毎の放送時間を表す形態や、チャンネルに関係なくカテゴリー毎に番組を分類したカテゴリー別番組リストの形態で番組情報を蓄積する。この蓄積形態によって画面上に表示される番組表の表示形態が決定される。
【００１９】
画像合成部１１は、映像処理部９から出力された映像信号と表示データ作成部２６から出力された情報番組表の画像データとを１つの画像に合成して出力する。出力された映像は映像出力部１２から出力され、ＣＲＴ１４で画面に表示される。
【００２０】
制御処理１８は、制御入力部１７から入力された視聴者が操作するリモコンなどの指令に応じて、映像処理部９と情報処理部２１の制御を行う。例えば、映像処理部９に対しては、画像の表示サイズや画質補正の制御を行う。また、情報処理部２１に対しては、番組情報の蓄積の制御、編集、検索、さらにチャンネル毎或いはカテゴリー毎の表示形態の制御或いは処理を行う。
【００２１】
番組表を表示するコマンドを例えば図３に示すテレビジョン受信機用のリモコン２８から受信すると、表示データ作成部２６は、時計装置２４からの現在時刻を表す時間情報を参照して、現在放送中及びそれ以降の番組を図６のように所定のフォーマットに従い画面上に表示する。このコマンドは、例えばリモコン２８の番組ガイドボタン３５を押下することにより発せられる。
【００２２】
ここで、番組表に表示されるチャンネルは、番組情報から得られるチャンネル情報としての放送局識別データ、放送チャンネル番号のデータをもとに表示される。一般に地上波放送の場合、難視聴地域をカバーするために中継局が設けられる。この中継局は、たとえばキー局がＶＨＦのチャンネルの場合、キー局からのからの放送波をＵＨＦに変換して再送信することが行われる。中継局からの放送波を受信している地域の場合は、たとえば１ｃｈが５１ｃｈ、２ｃｈが５２ｃｈなどのように変換されているが、新聞のテレビ欄のチャンネルはキー局のチャンネルを表示している場合が多いため、実際に受信するチャンネルがＵＨＦチャンネルであるが、チャンネル表示をキー局のチャンネル表示に合わせたほうが使い勝手がよいことがある。
【００２３】
図４、図５には、テレビ側のチャンネル設定メニューの例を示したものである。リモコン２８のメニューボタン２９を押下すると、いくつかのメニューの中からチャンネル設定画面が選択される。この例では、「チャンネルボタン」はリモコンのチャンネル選局ボタン３６に対応した番号、「チャンネル」は実際に受信するチャンネル、「表示」はチャンネル選局ボタン３６を選局したときに画面に表示する番号、「放送局識別番号」は番組情報から得られる放送局ごとに予め付けられた番号である。
【００２４】
図４は、キー局の４ｃｈを直接受信できる地域での設定例である。すなわち、リモコンのチャンネルボタン３６の“４”を押下すると、４チャンネルを選局し、画面に“４”と表示するように設定したことを意味する。また、番組情報処理部２１は、番組情報から得られた放送識別データが１２３のときに、テレビ側の受信チャンネルが４ｃｈに相当することを関連づけるように設定したことを意味する。他のチャンネルについても同様に設定できる。制御処理部１８は、上記設定内容をメモリ２０に記憶するとともに、番組情報処理部２１に対して、各チャンネルボタンの表示番号と放送局識別番号とを関連付けたデータを送信する。
【００２５】
次に番組情報処理部２１により番組情報を受信すると、番組情報の中から放送局識別番号と一致する番組内容を、図６のように一方の軸を時間、他方の軸をチャンネルとしてチャンネル毎の放送時間を表示する。このとき表示されるチャンネル番号は、例えば前記で設定した「表示」に相当する番号を表示することによりユーザーが選択した番組内容と受信チャンネルが関連付けられる。
【００２６】
図５は、キー局の４ｃｈをＵＨＦ５４ｃｈに変換して再送信している地域での設定例である。すなわち、リモコンのチャンネルボタン３６の“４”を押下すると、５４チャンネルを選局し、画面に“４”と表示するように設定したことを意味する。また、番組情報処理部２１は、番組情報から得られた放送識別データが１２３のときに、テレビ側の受信チャンネルが５４ｃｈに相当することを関連付けるように設定したことを意味する。図５と同様に、このような設定で番組情報処理部２１により番組情報を受信すると、番組情報の中から放送局識別番号と一致する番組内容を、図６のように一方の軸を時間、他方の軸をチャンネルとしてチャンネル毎の放送時間を表示する。
【００２７】
次に番組表に表示されたチャンネル番号から受信装置のチャンネルを選局する場合について説明する。図３に示したリモコンのカーソル移動キー３０〜３３を操作して所望の番組の情報表示領域にカーソル（図５中の黒の太枠）を合わせた後に決定ボタン３４を押すと、現在放送中のときは、その番組に対応するテレビの表示番号データを、番組情報処理部２１から制御処理部１８に対して送信する。制御処理部１８は、受け取った表示番号データと一致するチャンネル選局ボタンを探しだし、そこに設定されている実際の受信チャンネルを選局する。もし、先の時間の番組の場合は、番組表の上部に内容タイトルの全文及びその他の詳細情報を表示するようにしてもよい。
【００２８】
ここで、この例のように番組表に表示するチャンネル番号を表示番号とする以外に、受信チャンネルをそのまま表示したり、またチャンネル番号の代わりに放送局名を表示することも可能である。また、リモコンボタン３６の番号順に並べることが可能であるとともに、ユーザーが自由に設定チャンネルを変更することにより並べ替えることも可能であることは言うまでもない。
【００２９】
【発明の効果】
本発明は、以上のように、番組表を表示する受信機にあって、その番組情報のチャンネル番号と実際テレビで受信するチャンネル番号を容易に一致させることができる。
【図面の簡単な説明】
【図１】本発明に係る受信装置の一実施形態の回路構成を示すブロック図
【図２】図１の番組情報処理部の回路構成を示すブロック図
【図３】図１の受信装置に用いられるリモコンの外観図
【図４】メニューのチャンネル設定画面を表示例を示す図
【図５】メニューのチャンネル設定画面を表示例を示す図
【図６】本発明の実施形態による番組表の表示例の一例を示す図。
【符号の説明】
２、３  チューナ
８      信号切換回路
９      映像信号処理回路
１１      画像合成回路
１４      ＣＲＴ
１８      制御処理部
１５、１６  選局処理回路
１７      制御入力部
１９      画面表示処理回路
２０、２７  メモリ
２１      番組情報処理部
２２      信号分離部
２３      データ抽出部
２４      時計装置
２５      データ記憶部
２６      表示データ作成部
【図１】
0003637766.tif 000002
【図２】
0003637766.tif 000003
【図３】
0003637766.tif 000004
【図４】
0003637766.tif 000005
【図５】
0003637766.tif 000006
【図６】
0003637766.tif 000007